(57)【要約】【課題】  高所作業用安全帯の着脱を簡単に、しかも安全性を損わず、確実に操作できるようにするための高所作業用安全帯を提供する。【解決手段】  高所作業用安全帯の締め付け金具を、受け金具と差し込み金具に分け、受け金具の内側中央前部の組み合せ箇所をＬ字に折り曲げ、そのＬ字金具に組み合せる差し込み金具の内側中央前部を切り抜き、Ｌ字金具通し穴としてＬ字金具に組み合せ緊結し、受け金具と差し込み金具が勝手に外れたりしないように差し込み金具にロックボタンを装着し、また受け金具にはベルトを縫い付けるが、差し込み金具にはベルトを通す穴を３ヶ所開けてベルトを通し回すことにより、ベルトが緩むことがなく、ベルトの片方をフリーにすることにより、使用者の腰回りに合うように長さを調節できるということを特徴とする高所作業用安全帯。【選択図】  図１
2005118512.tif 000002
【特許請求の範囲】
【請求項１】
ベルトの一端に受け金具を取り付け、もう一方のベルトの端に差し込み金具を備えた高所作業用安全帯であって、受け金具の内側中央前部の組み合せ箇所をＬ字に折り曲げ、そのＬ字金具に合うように、差し込み金具の内側中央前部を切り抜き、受け金具と差し込み金具を緊結し、受け金具と差し込み金具が勝手に外れたりしないように、差し込み金具にロックボタンを装着し、受け金具にはベルトを縫い付け、差し込み金具にはベルトを通す穴を３ヶ所開けてベルトを通し回すことにより、ベルトが緩むことがなく、片方のベルトをフリーにすることにより、使用者の腰回りの長さにベルトを調節することができるということを特徴とした高所作業用安全帯。
【請求項２】
受け金具の内側中央前部をＬ字に折り曲げたと同じように、受け金具の内側中央後部も同じくＬ字に折り曲げ、２ヶ所のＬ字金具とし、受け金具の２ヶ所のＬ字金具に適合するように、差し込み金具の先を延伸してＬ字金具通し穴を２ヶ所設け、Ｌ字金具とＬ字通し穴を２ヶ所組み合せる請求項１記載の高所作業用安全帯。
【発明の詳細な説明】
【技術分野】
【０００１】  本発明は、高所作業用安全帯の着脱を簡単に、しかも安全性を損わず、確実に操作できるようにするための高所作業用安全帯の締め付け金具に関するものである。
【背景技術】
【０００２】  従来、高所作業用安全帯は締め付け金具にベルトを通し、そのベルトを締め付け金具が直接緊結するものがほとんどである。
【発明の開示】
【発明が解決しようとする課題】
【０００３】  そのため次のような問題があった。
高所作業用安全帯は、使用上絶対安全が求められ、安全帯の使用中に自らが締め付け金具を操作しないのに安全帯が緩んだり、外れたりしてはならず、そのため安全帯を着装し、緊結するために締め付け金具にベルトを通し、また安全帯の使用後は、外すのに締め付け金具よりベルトを引き抜く、というような面倒な手順が安全帯の着脱の度に必要であった。
本発明は、以上の問題点を解決しようとするものである。
【課題を解決するための手段】
【０００４】  高所作業用安全帯の締め付け金具を、受け金具と差し込み金具に分ける。
受け金具の内側中央前部の組み合せ箇所をＬ字に折り曲げ、そのＬ字金具に組み合せる差し込み金具の内側中央前部を切り抜き、Ｌ字金具通し穴としてＬ字金具に組み合せ緊結する。
受け金具と差し込み金具が勝手に外れたりしないように、差し込み金具にロックボタンを装着する。受け金具にはベルトを縫い付けるが、差し込み金具にはベルトを通す穴を３ヶ所開けてベルトを通し回すことにより、ベルトが緩むことがなく、ベルトの片方をフリーにすることにより、使用者の腰回りに合うように長さを調節できる。
以上を特徴とする高所作業用安全帯である。
【発明の効果】
【０００５】  本発明は、安全帯を着装する時は、受け金具と差し込み金具を組み合せ緊結し、外す時は、差し込み金具に取り付けたプッシュボタンを押して外す、というような簡単操作により、高所作業用安全帯の着脱が簡単にできるようになり、しかも安全性は少しも損なわれることがない。
【発明を実施するための最良の形態】
【０００６】（イ）  受け金具（１）は図１、図２のように長方形の厚さ３ミリ〜５ミリの金属で、図１、図２のように長手の両側は差し込み金具（２）がブレないように両側から挟むためにカギ形に折り曲げて、差し込み金具ブレ止め（１４）とする。
（ロ）  受け金具（１）は図２、図３、図４のように先端より２センチほど内側中央部に切り込みを入れて、そこを折り曲げＬ字金具（８ａ）とする。
（ハ）  受け金具（１）の後端は図１、図２、図３、図４、図６、図７のようにベルト通し穴（１０）を開け、ベルト（７）をベルト通し穴（１０）に通し、ベルト（７）同士を縫い付ける。
（ニ）  差し込み金具（２）は受け金具（１）と同じ長方形の金属を使用し、先端の方は図２、図３、図４のように受け金具（１）の中のＬ字金具（８ａ）に合うよう、Ｌ字金具通し穴（９ａ）を開ける。
（ホ）  差し込み金具（２）のＬ字通し穴（９ａ）より後方に１センチほど離れたところに、図１、図２、図３、図４、図５、図６、図７のように、中にバネ（５）を差し入れたロックボタン（３）に添え板（４）を添えて止めネジ（６）で差し込み金具（２）にネジ止めする。
（ヘ）  差し込み金具（２）には，ベルト（７）が使用者の腰回りに合うよう長さを調節するため、またベルト（７）が緩んだり抜けたりしないように、ベルト（７）を通し回すための通し穴を３ヶ所、先端から順に前ベルト通し穴（１１）、中ベルト通し穴（１２）、後ベルト通し穴（１３）を開ける。
（ト）  受け金具（１）と差し込み金具（２）は使用者の身体にフィットするように、それぞれベルト通し穴（１０）と前ベルト通し穴（１１）附近で少し内側に曲げる。
（チ）  受け金具（１）の中央部は軽量化のため切り抜き、その切り抜き穴（１５）に会社名等の書いたネームプレート（１６）をはめ込む。
本発明は以上の構成よりなっている。
本発明を使用する時は、まず安全帯が使用者の腰回りに合うよう長さを調節するため図１、図２、図３、図４、図６、図７のようにベルト（７）を差し込み金具（２）に開けた後ベルト通し穴（１３）に通し、次に前ベルト通し穴（１１）に通す。そしてベルト（７）を内転させ、中ベルト通し穴（１２）に通し、おしまいに後ベルト通し穴（１３）に通してベルト（７）の長さ調節は完了する。
受け金具（１）の中に設けたＬ字金具（８ａ）に差し込み金具（２）に開けたＬ字金具通し穴（９ａ）を組み合せ、受け金具（１）と差し込み金具（２）を互いに強く押し付け合い、金具が密着したら今度は左右に広げるように引くと、差し込み金具（２）に装着したロックボタン（３）がバネ（５）の働きで受け金具（１）の先端に飛び出して、受け金具（１）と差し込み金具（２）の固定が完了する。
安全帯を外す時は、差し込み金具（２）に装着しているロックボタン（３）を内に押し込めて、受け金具（１）と差し込み金具（２）を互いに押し縮める。そして受け金具（１）と差し込み金具（２）を引き離す。
【実施例】
【０００７】（イ）  受け金具（１）に設けた１ヶ所だけのＬ字金具（８ａ）を発展させて、図６、図７のように受け金具（１）の内側中央に後Ｌ字金具（８ｃ）増設して、２ヶ所の前Ｌ字金具（８ｂ）と後Ｌ字金具（８ｃ）とする。
（ロ）  受け金具（１）に設けた前Ｌ字金具（８ｂ）と後Ｌ字金具（８ｃ）に合致するように、差し込み金具（２）の先端を延伸して、前Ｌ字金具通し穴（９ｂ）と後Ｌ字金具通し穴（９ｃ）の２ヶ所を設ける。
【図面の簡単な説明】
【０００８】
【図１】  本発明の斜視図
【図２】  本発明の裏面の分離斜視図
【図３】  本発明の断面図
【図４】  本発明の分離断面図
【図５】  本発明のロックボタンと周辺の断面図
【図６】  本発明の応用例の断面図
【図７】  本発明の応用例の分離断面図
【符号の説明】
【０００９】  １    受け金具
２    差し込み金具
３    ロックボタン
４    添え板
５    バネ
６    止めネジ
７    ベルト
８ａ  Ｌ字金具
８ｂ  前Ｌ字金具
８ｃ  後Ｌ字金具
９ａ  Ｌ字金具通し穴
９ｂ  前Ｌ字金具通し穴
９ｃ  後Ｌ字金具通し穴
１０    ベルト通し穴
１１    前ベルト通し穴
１２    中ベルト通し穴
１３    後ベルト通し穴
１４    差し込み金具ブレ止め
１５    切り抜き穴
１６    ネームプレート
【図１】
2005118512.tif 000003
【図２】
2005118512.tif 000004
【図３】
2005118512.tif 000005
【図４】
2005118512.tif 000006
【図５】
2005118512.tif 000007
【図６】
2005118512.tif 000008
【図７】
2005118512.tif 000009